Podtech/llm-jp-corpus-v4-ja_patent huggingface dataset:
(57)【要約】【課題】下水の臭気および、昆虫類の侵入を防ぐための水封溝を有する排水トラップの、水封溝の水量を、全自動で常に適切な量に保持する。【解決手段】上水道から、水封溝を有する排水口トラップの水封溝へ水を供給する配管に、水封溝の水量が適切となるように、水の供給を制御できる電磁弁を設置する。更に、電磁弁の手前に貯水槽を設けても良く、この貯水槽に接続している上水道配管に、水位を感知して開閉する弁を備えても良い。【選択図】図１
0003123143.tif 000002
【実用新案登録請求の範囲】
【請求項１】
排水トラップの水封溝に、自動的に水を供給する装置を備えた排水トラップであって、上水道から排水トラップの水封溝に水を供給するための給水配管に、タイマーによって開閉する電磁弁を備えることを特徴とする自動給水式排水トラップ。
【請求項２】
電磁弁の手前に貯水槽を設け、この貯水槽に接続している上水道配管に、水位を感知して開閉する弁を備えた請求項１の自動給水式排水トラップ。
【考案の詳細な説明】
【技術分野】
【０００１】
本考案は、密閉手段の一つである水封溝を有する排水トラップの水封溝へ、水を自動供給する自動給水式排水トラップに関するものである。
【背景技術】
【０００２】
一般に水を使用する工場では、作業室の床に排水口を設け、排水を下水に流す構造を取っている。通常、この排水口は水封溝を有するトラップ構造になっており、下水からの臭気及び昆虫の侵入を防いでいる。水封溝を有するトラップとは、排水口の周囲に浅く溝を掘り、その溝に水を入れ排水口を覆うように溝に合ったキャップをした状態の構造物である。排水口に被せたキャップの一部が、この水封溝の水に浸ることによって、下水からの空気が工場内に侵入するのを防ぐようになっている。
【０００３】
しかし、水によって密閉しているため、水封溝は常に有効量の水で満たされている必要がある。水封溝の水が涸れると密閉性が無くなり、下水の臭気及び昆虫の侵入がある。その為、食品及び薬品を製造する工場では、水封溝の水量管理が重要な管理項目となっている。
【０００４】
通常、この水封溝への水の供給は、工場の従業員によって適時行われている。特に、室内を減圧管理している場合は、水封溝への水の供給を頻繁に行わなくてはならず、本来の作業の効率を落とす原因となっている。
【０００５】
水封溝に水を供給する装置として、液体補充容器を内蔵する排水トラップがあるが(例えば、特許文献１、２、３)、液体補充容器を内蔵するため、トラップ自体が大きくなり床面の設置に支障がある。さらに、液体補充容器自体も大きくできないため、液体補充容器への水の供給は頻繁であり、液体補充容器の水量確認及び水の供給は、人手に頼るものとなっている。
【０００６】
【特許文献１】特開２００４−１３２１５１号公報
【特許文献２】特開２００４−１３２１５３号公報
【特許文献３】特開２００４−３３２４７２号公報
【考案の開示】
【考案が解決しようとする課題】
【０００７】
解決しようとする課題点は、排水トラップの水封溝の水量又は水補充容器の水量を、目視によって確認し、人手により適切な量の水を供給しなければならない点である。
【課題を解決するための手段】
【０００８】
本考案は、排水トラップの水封溝に、自動的に水を供給する装置を備えた排水トラップであって、上水道から排水トラップの水封溝に水を供給するための給水配管に、タイマーによって開閉する電磁弁を備えることを特徴としている。更に、電磁弁の手前に貯水槽を設けても良く、この貯水槽に接続している上水道配管に、水位を感知して開閉する弁を備えても良い。
【考案の効果】
【０００９】
本考案の水封溝への水の自動供給装置は、常に必要量の水を水封溝に自動供給できるため、目視で水封溝の水量を確認し、人手により適切な量の水を供給する労力を削減することができる。
【考案を実施するための最良の形態】
【００１０】
本考案の水封溝への水の自動供給装置は、常に必要量の水を水封溝に自動供給するための貯水槽を設けることにより、断水時のトラブルを避けることが出来る。
【実施例１】
【００１１】
図１は、本考案装置の１実施例を説明する概要の断面図であって、水位調整用の弁を備え付けた貯水槽から水封溝への水の供給を、タイマー制御式電磁弁で行う機構である。
【産業上の利用可能性】
【００１２】
水封溝を有する排水トラップの全てに適用可能であり、工場のように複数の排水トラップがある場合でも、水封溝への給水管を分岐させれば、複数の水封溝へ水を供給でき、目視で箇々の水封溝の水量を確認し、人手により適切な量の水を供給する労力の削減になる。
【図面の簡単な説明】
【００１３】
【図１】水位調整用の弁を備え付けた貯水槽から水封溝への水の供給を、タイマー制御式電磁弁で行う実施方法を示した説明図である。（実施例１）
【符号の説明】
【００１４】
１  上水道配管
２  水位調整用ボールタップ弁
３  貯水槽
４  タイマー制御式電磁弁
５  給水配管
６  排水口用キャップ
７  水封溝
８  排水管
９  床
１０  他の水封溝への分岐給水配管
１１  目皿
【図１】
0003123143.tif 000003
(57)【要約】【課題】  保護袋で包装されている衣服類に対し、必要なラベルを取付けるさい、商品を袋から取出すことなく簡便容易に取付けを可能にするのもの。【解決手段】  合成樹脂製で、下部は開放され、上部はハンガーのフック部を通すハンガー挿通孔を有する衣服保護袋丈の上半部分に対し、内装衣類に必要なラベルを外方から直接的に取付け可能にする１個若しくは複数個のラベル取付け孔を穿設した。【選択図】      図１
0003123107.tif 000002
【実用新案登録請求の範囲】
【請求項１】
合成樹脂製で、下部は開放され、上部はハンガーのフック部を通すハンガー挿通孔を有する衣服保護袋丈の上半部分に対し、内装衣類に必要なラベルを外方から直接的に取付け可能にする１個若しくは複数個のラベル取付け孔を穿設したことを特徴とする衣服保護袋。
【請求項２】
縦寸法を８０ｃｍ〜１１０ｃｍ、横寸法を４０ｃｍ〜６０ｃｍとなし、またラベル取付け孔の直径は５ｃｍ〜１０ｃｍで、上方から１０ｃｍ〜４０ｃｍの範囲に設けてズボンなどの下衣用となしたことを特徴とする請求項１記載の衣服保護袋。
【請求項３】
縦寸法を６０ｃｍ〜１００ｃｍ、横寸法を５０ｃｍ〜８０ｃｍとなし、またラベル取付け孔の直径は５ｃｍ〜１０ｃｍで、上方から２０ｃｍ〜５０ｃｍの範囲に設けて上衣用となしたことを特徴とする請求項１記載の衣服保護袋。
【考案の詳細な説明】
【技術分野】
【０００１】
本考案は、衣服の配送の際に衣服を汚れから守るために使用される衣服保護袋に関する。
【背景技術】
【０００２】
従来から商品化された衣服類を配送する際には、汚れ防止のため、専らポリエチレン製の保護袋が使用されており、この保護袋８は図５に示す如く、下方に衣服を出し入れする開口部９を形成し、他の三方側縁部は閉じたものとなされるが、ただ上方の側縁部にはハンガー挿通孔１０が形成してある。ところで、衣服類には適宜にラベルや記号札１１が取付けられるのであるが、これらは製品時に取付けられる外に、問屋から小売店に配送する途中段階でも、別途にラベルを付ける必要があるのであり、その際には、再び保護袋から商品を取り出すか、或いは保護袋を下から上方へまくり上げて必要なラベルを取付けることが行わなれている。
【特許文献１】特開２００２−２９３９６１号
【考案の開示】
【考案が解決しようとする課題】
【０００３】
上記で保護袋から再び商品を取出すのは大変面倒なのであり、これに対し保護袋をまくり上げて行うさいには保護袋に皺が発生したり破損したりする問題がある。本考案はこのような問題点を解決せんとするものであって、必要なラベルが商品を袋から取出すことなく簡便容易に取付け可能にするのものである。
【課題を解決するための手段】
【０００４】
本考案に係る衣服保護袋は、合成樹脂製で、下部は開放され、上部はハンガーのフック部を通すハンガー挿通孔を有する衣服保護袋丈の上半部分に対し、内装衣類に必要なラベルを外方から直接的に取付け可能にする１個若しくは複数個のラベル取付け孔を穿設したことを特徴とする。このさい、縦寸法を８０ｃｍ〜１１０ｃｍ、横寸法を４０ｃｍ〜６０ｃｍとなし、またラベル取付け孔の直径は５ｃｍ〜１０ｃｍで、上方から１０ｃｍ〜４０ｃｍの範囲に設けてズボンなどの下衣用となしたり、縦寸法を６０ｃｍ〜１００ｃｍ、横寸法を５０ｃｍ〜８０ｃｍとなし、またラベル取付け孔の直径は５ｃｍ〜１０ｃｍで、上方から２０ｃｍ〜５０ｃｍの範囲に設けて上衣用となしたりする。
【考案の効果】
【０００５】
本考案品は以上の如き構成であり、保護袋で包装されている衣服類に対しラベルを取付けるさい、衣服類を保護袋から取出したり、或いはこれをめくり上げたりすることなく、上記構成のラベル取付け孔から、適宜手指を突込んで簡便容易にラベルを付けることができるものとなった。
【考案を実施するための最良の形態】
【０００６】
以下、図面に示す実施の態様について説明する。
図１は本考案品に係る衣服保護袋の正面図、図２は使用状態図である。各図に於いて、１は合成樹脂製で下方２を除く三方側縁部の閉じられた衣服保護袋である。但し上部の中心部にはハンガーのフック部を通すハンガー挿通孔３が設けてある。ここで、合成樹脂は専らポリエチレン樹脂やポリプロピレン樹脂が使用される。また、その大きさは縦寸法が凡そ８０ｃｍ〜１１０ｃｍ、横寸法が凡そ４０ｃｍ〜６０ｃｍである。
【０００７】
本例はズボンなど下衣用の衣服保護袋１であり、ラベル取付け孔４は上半部分でハンガー挿通孔３から凡そ１０ｃｍ〜２０ｃｍの下方箇所に取付けられるのであって、且つ該ラベル取付け孔４の直径は凡そ５ｃｍ〜１０ｃｍとなされる。図示例ではラベル５をウエストベルト通しに取付けたものを示している。このさい、図面ではウエストの右側相当箇所に穿設したものを示しているが、左側箇所となしても良く、また１箇所に限らず複数個穿設して適宜必要なラベルや記号札を取付けるようになしても良い。なお、図面で６はハンガー、７は下衣のズボンである。
【０００８】
図３及び図４は他の例を示すもので、図３は正面図、図４は図３の使用状態図である。本例に於ける衣服保護袋１’はその大きさ寸法が縦寸法を凡そ６０ｃｍ〜１0０ｃｍ、横寸法を凡そ５０ｃｍ〜８０ｃｍとなされる以外は、前例と同様の構成である。
【０００９】
本例に於いて、上衣の場合にはラベルは専ら胸ポケットやボタンなどに取付けることが多く、従って取付け孔４’は上方から凡そ２０ｃｍ〜５０ｃｍの位置に設けるようにするのであり、その大きさは前例と同様に直径５ｃｍ〜１０ｃｍである。
【００１０】
図示例では取付け孔４（４’）を円形のものを示したが、本考案では方形や楕円状のものとなすことも差し支えなく、またこれらの大きさは外方から手指を挿入してラベルの取り付けを可能にする同等面積のものを含め本考案の技術的範囲の対象にする。
【図面の簡単な説明】
【００１１】
【図１】下衣用の衣服保護袋の正面図である。
【図２】図１の使用状態図である。
【図３】上衣用の衣服保護袋の正面図である。
【図４】図１の使用状態図である。
【図５】従来の保護袋の使用状態図である。
【符号の説明】
【００１２】
１、１’    衣服保護袋
２、２’    開口部
３、３’    ハンガー挿通孔
４、４’    ラベル取付け孔
５、５’    ラベル
６、６’    ハンガー
７          ズボン
７’        上衣
【図１】
0003123107.tif 000003
【図２】
0003123107.tif 000004
【図３】
0003123107.tif 000005
【図４】
0003123107.tif 000006
【図５】
0003123107.tif 000007
(57)【要約】【課題】  プラスチック製ペットボトル等のキャップを、従来のキャップより少ない力で簡単に開閉蓋できるようにする。【解決手段】  プラスチック製ペットボトル等のキャップ本体３の円柱形側面部分の上端と下端に、キャップ本体３の円周より大きなリング状を呈した上凸部１と下凸部２を取り付け、開蓋時に指を当てる部分を設定し力を入れやすくしたことと、断面が半円形であることを特徴とした上凸部１と下凸部２に指を密着させることにより、キャップと指との接触面積が増え摩擦力が大きくなることで、少しの力で簡単にキャップの開閉蓋ができる。【選択図】      図１
0003123118.tif 000002
【実用新案登録請求の範囲】
【請求項１】
プラスチック製ペットボトル等のキャップの円柱形側面部分の上端と下端にそれぞれ、キャップ本体の円周より大きなリング状を呈した凸部を取り付け、キャップの開閉を簡易にできるようにしたリング型キャップ。
【請求項２】
前記凸部の断面は半円形であることを特徴とする請求項１に記載のリング型キャップ。
【考案の詳細な説明】
【技術分野】
【０００１】
本考案は、プラスチック製ペットボトル等のキャップの形状に関する。
【背景技術】
【０００２】
従来、販売されているプラスチック製ペットボトル等のキャップは、円柱形を呈し側面には滑り止めの縦筋だけがついているものである。
【０００３】
又、従来の考案には、図３に示すように、キャップの円柱形側面部分に、二等辺三角形の形状を呈した凸部を複数個所に取り付けたものがあるが、落下した場合凸部から接地すると、開蓋されてしまう欠点がある。
【考案の開示】
【考案が解決しようとする課題】
【０００４】
従来販売されているプラスチック製ペットボトル等のキャップは、指が滑り開け難く又、初めてキャップを開ける時には力を入れるところが固定されていないので、より強い力が必要となる。
【０００５】
特に、力の弱い児童、老人では力を必要とする最初の開蓋動作時では力を入れるところが特定されていないので、指が滑るなどから開け難く一層の力が必要である。
【課題を解決するための手段】
【０００６】
上記目的を達成する為に、本考案のリング型キャップは、従来のプラスチック製ペットボトル等のキャップの円柱形側面部分の上端と下端にそれぞれ、キャップ本体の円周より大きなリング状を呈した凸部を取り付けた。
【考案の効果】
【０００７】
本考案のリング型キャップは、キャップを開閉蓋する時はもちろん、特に初めてキャップを開蓋する時に力の弱い者でも、力むことなく開蓋できる効果がある。
【考案を実施するための最良の形態】
【０００８】
本考案のリング型キャップは、図１、図２に示すように、従来のプラスチック製ペットボトル等のキャップ本体３の円柱形側面部分の上端と下端に、キャップ本体３の円周より大きなリング状を呈した上凸部１と下凸部２を取り付ける。
【実施例】
【０００９】
プラスチック製ペットボトル等のキャップを開ける時、本考案のリング型キャップを使用すれば、上凸部１と下凸部２の間に指を固定することができ、力を入れ易く確実に開蓋が可能である。
【００１０】
又、上凸部１と下凸部２に指を密着させることにより、キャップと指との接触面積が増え摩擦力が大きくなり、従来よりも少しの力で簡単に開蓋できる。
【００１１】
それに加え、キャップ本体３よりも大きな円周を持つ上凸部１を握ることでも、より少ない力での開閉蓋が可能である。
【００１２】
なお、上凸部１と下凸部２とキャップ本体３を一体成型することにより、低コストでの製造が可能となる。
【図面の簡単な説明】
【００１３】
【図１】斜視図
【図２】側面図
【図３】従来の考案によるキャップを示す斜視図
【符号の説明】
【００１４】
１  上凸部
２  下凸部
３  キャップ本体
【図１】
0003123118.tif 000003
【図２】
0003123118.tif 000004
【図３】
0003123118.tif 000005
(57)【要約】【課題】  釘打ち固定の際に、建築板の柄の頭頂部が釘頭よりも上になるとハンマーの打撃によって柄欠けが生じ、その部分に施される補修塗料の色、ツヤ、変耐色の違いにより美観を損ねることを回避する。【解決手段】  表面に凸条模様が形成された建築板１を釘打ちによって留め付ける場合において、釘２を打ち込む部分の凸条模様の頭頂部３の間隔を、釘頭４の直径より狭くすることにより、釘頭４が凸条模様の頭頂部３に被さる状態となり、釘２を打ち込むハンマーの打撃を釘頭４のみで受け、柄欠けを防ぐ。【選択図】  図１
0003123168.tif 000002
【実用新案登録請求の範囲】
【請求項１】
表面に凸条模様が形成された建築板であって、少なくとも釘を打ち込む表面部分における該凸条模様の頭頂部の間隔が釘頭の直径よりも狭くなっていることを特徴とする建築板。
【請求項２】
釘を打ち込む表面部分に形成された前記凸条模様は帯状をなし、該帯状部分が少なくとも構造材に当接される範囲内に形成されていることを特徴とする請求項１記載の建築板。
【考案の詳細な説明】
【技術分野】
【０００１】
本考案は、建物用建築板に関するものである。
【背景技術】
【０００２】
従来より、壁板や軒裏天井板などの建築板を、釘打ち施工により構造材に留め付けることが行われている。
【０００３】
上記施工では、一般に構造材の配設ピッチに合わせて建築板にドリルで先穴を開け、釘打ち機を使って釘を打ち込んで行くが、完全に打ち込むために、続けてハンマーで打ち込んでいる。
【０００４】
このような釘打ち施工の場合、建築板表面に凹凸模様が施されていると、釘打ちの際にハンマーで凹凸模様を叩いてしまい、凹凸模様に欠けが生じることがある。釘頭には板と近似色の補修塗料を塗るが、ハンマーによる欠けが生じた場合には建築板の欠けた部分にも補修塗料を塗る必要が生じる。
【０００５】
近年は建築板が複数色で塗装されていることが多いが、補修塗料は通常単色であり、建築板に施されている塗装とはツヤも異なる。塗装補修が、釘頭程度の面積であればさほど目立つことはないが、ハンマーで欠けた部分まで塗ると面積が広くなり目立ってしまう。また、建築板に施された塗料と補修塗料とは経年による変耐色が異なる為、この不具合は助長されてしまう。
【０００６】
一方、特許文献１には、外装板表面柄の中に、ある程度の面積の凸部を設けて、その部分でもってハンマーの打撃を受けることで打撃の影響を最小限にしようとする技術が開示されてはいる。しかし、表面柄の凸部全体にハンマーの打撃を受けることとなり、破損の不具合範囲を広げてしまう。また凸条模様において、ハンマーの打撃を受けるある程度の面積を有する部分を設けること自体、柄設計が大きく制約されてしまう。
【特許文献１】特開平７−２４７６２１号公報
【考案の開示】
【考案が解決しようとする課題】
【０００７】
本考案は、上記現状に鑑みてなされたものであり、凸条模様の建築板を釘打ちにより建物構造材に留め付ける場合において、凸条模様に欠けの生じにくい建築板を提供することを目的としている。
【課題を解決するための手段】
【０００８】
上記目的を達成するために、本考案は、表面に凸条模様が形成された建築板であって、少なくとも釘を打ち込む表面部分における該凸条模様の頭頂部の間隔が釘頭の直径よりも狭くなっていることを特徴とする。
【０００９】
また本考案は、釘を打ち込む表面部分に形成された前記凸条模様は帯状をなし、該帯状部分が少なくとも構造材に当接される範囲内に形成されていることを特徴とする。
【考案の効果】
【００１０】
上記構成により凸条模様の頭頂部が釘頭を受け、ハンマーの打撃を釘頭のみで受けることができるので、凸条模様全体を傷付けないことはもとより、釘打ち後に補修塗料を塗るのは釘頭部分のみとなり、その面積は小さく目立たないという利点がある。
【考案を実施するための最良の形態】
【００１１】
本考案による建築板は、その表面が凸条模様であり、構造材のピッチに対応した釘を打ち込む場所において、凸条模様の頭頂部の間隔が釘頭の直径より狭くなっており、釘打ちの際には凸条模様の上に釘頭が被さった態様となって、ハンマーは釘頭のみを叩き、凸条模様には当たらない。
【実施例１】
【００１２】
図１は、本考案にかかる実施例を示しており、建築板（１）に釘（２）を打ち込んだ状態の断面を示す説明図である。図中、符号（３）は建築板表面の凸条模様の頭頂部、（４）は釘頭を示している。
【００１３】
図示するように、建築板（１）において、凸条模様の頭頂部（３）の間隔は、釘頭（４）の直径より狭くなっている。このため、釘頭（４）が凸条模様の頭頂部（３）に被さる態様となり、ハンマーの打撃により凸条模様の頭頂部（３）が欠けるのを防いでいる。
【００１４】
図２は本考案との比較例を示す説明図である。この図は、釘頭（４）の直径よりも凸条模様の頭頂部（６）の間隔が広い部分に釘を打った場合の断面を示している。この場合、釘頭（４）よりも上になる部分がハンマーの打撃を受けて、凸条模様の頭頂部（６）が欠けてしまうという問題がある。
【００１５】
この点、本考案の建築板（１）では、ハンマーの打撃を釘頭（４）にて受けることができるので、凸条模様の頭頂部（３）を傷付けることはない。
【００１６】
なお、本考案にかかる建築板（１）において、釘頭（４）は２つの凸条模様の頭頂部（３）に被さる態様でも良く、２つ以上の凸条模様の頭頂部（３）に被さる態様でもよい。
【００１７】
また、本考案に係る建築板（１）において、釘頭（４）を受ける凸条模様の頭頂部（３）は釘頭（４）の両側にほぼ同じ高さのものが存在することが望ましい。
【実施例２】
【００１８】
図３は、本考案にかかる実施例２における施工構造を斜視的に示した説明図である。例示の形態で、建築板（１）に釘を打ち込むのは、隣接する凸条間が好ましい。
【００１９】
図３において、符号（５）は構造材であり、建築板（１）表面の、間隔の狭い凸条部が集中して帯状の態様をなしている部分と、釘を打ち付ける構造材（５）の幅は、図示するような関係となっている。
【００２０】
この建築板（１）は、間隔の狭い凸条部が集中して帯状の態様をなしている部分が、構造材（５）に当接される位置に形成されており、構造材（５）に釘を打ち込む際、間隔の狭い凸条部が集中して帯状の態様をなしている部分のいずれかの位置に釘を打つことが好ましい。これにより、確実に構造材（３）に釘打ちすることが出来る。
【００２１】
また、このように、釘を打ち込む部分の凸条模様の頭頂部（３）の間隔を密にすることで、ハンマーの打撃による柄欠けを発生させずに、釘打ち部分の目立たない建築板を提供することが出来る。
【図面の簡単な説明】
【００２２】
【図１】本考案にかかる実施例１を示す説明図である。
【図２】実施例１の比較例を示す説明図である。
【図３】本考案の実施例２を示す説明図である。
【符号の説明】
【００２３】
１    建築板
２    釘
３    凸条模様の頭頂部
４    釘頭
５    構造材
【図１】
0003123168.tif 000003
【図２】
0003123168.tif 000004
【図３】
0003123168.tif 000005
(57)【要約】      （修正有）【課題】ケーキの変形を起こさず均等の大きさにきれいにスポンジケーキを切断することが容易にできる切断の補助具を提供する。【解決手段】スポンジケーキに輪をはめるように設置して用いるリングゲージと、そのリングゲージの直径よりも少なくとも５センチ長い刃渡りを有する専用のスポンジケーキ切断用ナイフとをセットとし、リングゲージとこのセットのナイフとの相乗効果により、スポンジケーキのきれいな切断を容易にする。【選択図】図２
0003123619.tif 000002
【実用新案登録請求の範囲】
【考案の詳細な説明】
【技術分野】
【０００１】  本考案はスポンジケーキを側面よりナイフを入れて切断するときに、ケーキの形を崩すことなく、一定の寸法でケーキを切断することを容易にすることを目的とする。【０００２】  さらに、上面より切断用ナイフを入れて、いくつかの等分にケーキを切断することを、目測に頼らず正確にケーキを切断することをも目的とする。
【背景技術】
【０００３】  従来、スポンジケーキを側部より水平にナイフを入れて切断するときは、皿あるいはまな板などの台にケーキを据えて、上平面あるいはナイフを入れる側面の反対面を手の平で支えるようにしてナイフで切断する。【０００４】  また、数等分に上面よりナイフを入れて均等割りに切断するときは、目測により所要寸法に切断している。
【考案の開示】
【考案が解決しようとする課題】
【０００５】  しかしながら、以上に述べた状況では、スポンジケーキを側面部よりナイフを入れてケーキを上下に切断しようとすると、ケーキ自体がスポンジ状で柔らかいために、かなり鋭利なナイフを用いても、ケーキ周囲全体にわたる支えがないために、ナイフ刃による圧力がケーキ全体に影響を及ぼしケーキ外観形状を変形させてしまうし、変形時の影響でケーキの切り口付近の変形や切断面がきれいな切り口とならない。【０００６】  このような切断方法では、ケーキを一定の厚みを維持した切断が困難であり、斜めになるといった不規則なサイズに切断されてしまう上、目測に頼るために一定の寸法に切断するのが困難であるが、このようにスポンジケーキを上下に切断するのを容易にする専用道具がなかった。【０００７】  また、上面より縦に切断して数等分する場合、従来では目測で切断作業を行うために切断されたケーキの大きさに不均等が生じるが、均等にスポンジケーキを切断することを容易にする専用道具がなかった。【０００８】  このような裁断に用いる刃物としては、ケーキ直径よりも長い刃先を持つ用具としてはケーキ切断用というものがなく、長い刃先を持ったものはあっても刃先が切断に向いていないものや、また、料理用などに長い刃先を持つものはあるが、先端が鋭利になっていて、ケーキ切断に用いるには危険な刃物であるものしかなかった。
【課題を解決する手段】
【０００９】  本考案は、上記目的を達成するために、スポンジケーキ５にはまる、縦面にスリットを設けたリング状のゲージと、そのリング状のゲージの直径よりも長さが少なくとも５センチ長めの刃渡りをもつケーキ切断専用ナイフとを組み合わせた、ケーキ切断用リングゲージとナイフセットである。
【考案の効果】
【００１０】  スポンジケーキを水平に切断するとき、ケーキの変形を起こさず、ケーキの切断面がゆがまず、複数のケーキを同じ寸法で切断が可能である。
【００１１】  また、図３に示すように複数にケーキを切り分けるのを正確に行える。
【考案を実施するための最良の形態】  以下、本考案の実施の形態を図に基づいて説明する。
【実施例】
【００１２】  スポンジケーキを本考案のリングゲージ１にはめ込むように置いて、リングゲージ１の上辺部３にナイフをあてがってケーキ側面部２よりケーキに水平にナイフの刃を入れるとき、ケーキ側面部２がナイフの刃先４より受ける圧力はケーキにはめられているリングゲージ１によって、ケーキの変形が制限されるため、ケーキ全体の形状の変形が避けられる。【００１３】  また、ナイフ６はリングゲージ１の上辺部３をガイドとしてスライドさせることができるために、ケーキの切り口がゆがむことなく、リングゲージ１の高さに合わせた均一な高さの寸法にスポンジケーキを切断できる。【００１４】  スポンジケーキ５を図３に示すようにスポンジケーキ５上面より分割切断するには、図４に示すように、リングゲージ１に設けられているスリット７にナイフの刃を挿入した状態でリングゲージ１とナイフとともに、スポンジケーキ５の上部より押し下げるようにして切断する。【００１５】  このような切断でスポンジケーキ５を数等分する場合は、リングゲージ１をナイフ６とともにスポンジケーキ５より上側に引き離した後、角度を変えてスポンジケーキ５上からリングゲージ１とナイフとともに、スポンジケーキ５の上部より押し下げる上述の動作を繰り返す。【００１６】  角度を正確にあわすためには、リングゲージ１の側面に任意の印をつければよいが、図５に示すように、リングゲージ１の側面にあらかじめ切断ガイドになる目盛り８を付けておくことも可能である。
【図面の簡単な説明】
【００１７】
【図１】本考案のリングゲージ１と専用のナイフ６を示す斜視図である。
【図２】本考案発品を用いてスポンジケーキ３を水平に切断する状態を示す斜視図である。
【図３】スポンジケーキ３を縦に複数分割切断を説明する斜視図である。
【図４】本考案品を用いてスポンジケーキ１を縦に切断する方法を示す斜視図である。
【図５】リングゲージ１の周辺部に切断個所を示す目盛を設けた状態のリングゲージの参考斜視図である。
【符合の説明】
【００１８】        １    リングゲージ
２    ケーキ側面部
３    リングゲージ上辺部
４    ナイフの刃先
５    スポンジケーキ
６    ナイフ
７    スリット
８    目盛り
【図１】
0003123619.tif 000003
【図２】
0003123619.tif 000004
【図３】
0003123619.tif 000005
【図４】
0003123619.tif 000006
【図５】
0003123619.tif 000007
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
リング状を形成する本体にナイフを挟むように固定できるスリットを設けた本体と、この本体リング状を橋渡しした長さより少なくとも５センチ長めの刃渡りをもつケーキ切断専用ナイフとを組み合わせた、ケーキ切断用リングゲージとナイフセット。
(57)【要約】【課題】窓ガラスの前面に、着脱可能な板を装着することにより、台風時に安全なサッシ用窓ガラスの破損を防護するシステムを開発することにある。【解決手段】アルミサッシ用窓ガラスにおいて、窓ガラスの前面に位置する網戸レールにアルミ角板を嵌着し、そのアルミ角板にアルミ角板をアルミ蝶ねじで簡単に設置できることを特徴とするサッシガラス戸防護システム。【選択図】図１
0003123617.tif 000002
【実用新案登録請求の範囲】
【請求項１】
アルミサッシ用窓ガラスにおいて、窓ガラス前面に位置する網戸用レールにレール嵌着用溝を設けて、網戸レールにアルミ角板を容易に嵌着できることを特徴とするサッシガラス戸防護システム
【請求項２】
防止板をアルミ角板にアルミ蝶ねじを使用し、簡単に設置できるサッシガラス戸防護システム
【考案の詳細な説明】
【技術分野】
【０００１】  この考案は、台風時等の強風雨時にサッシガラス戸を防護するシステムの形状に関する。
【背景技術】
【０００２】  従来、家屋における窓には、雨戸はなく、台風時には、暴風雨によるガラス破損を防御する術はいろいろ考えられてきた。例えば、屋外側に取り付けられる台風時サッシガラス戸防護システムとしては、実用新案登録文献１（登録実用新案第３０７２６８９号公報）に記載されたものが知られている。
【実用新案登録文献１】
登録実用新案第３０７２６８９号号公報
【考案の開示】
【考案が解決しようとする課題】
【０００３】  しかしながら、以上の技術によれば、防御できる強度としては十分であるが、まだまだ容易に装着、脱着できるとは考えにくく、一般家庭にとってみれば、手軽かつ安価な技術には足りないものがあり、普及していないのが現実である。
そこでこの考案はさらに手軽に着脱可能でかつ安価な材料及び構造でサッシ用窓ガラスにおけるガラス戸防護システムを提供することを課題とする。
【課題を解決するための手段】
【０００４】  そこで本考案は、サッシ用窓ガラスにおいて、サッシフレームの窓ガラスの前面に位置する網戸用レールに、アルミ角パイプを装着し、破損防止板をネジで簡単に止めることを特徴とする防護システムである。
【考案の効果】
【０００５】  本考案によると、アルミ角パイプに網戸レールに簡易に装着できる溝を設けることにより、簡単に装着及び取り外しができるようになる。さらに防護板もネジで簡単に取り付けられるため、災害時に敏速に対応できる。【０００６】  このように本考案は窓ガラスの破損防止が手軽に行える長所を有し、かつ構造及び材料が安価に提供できる実用上有効な考案である。
【考案を実施するための最良の形態】
【０００７】  この考案の実施例の一実施形態を、図１、図２に示す。【０００８】「実施形態の効果」
この実施形態によれば、アルミ用窓ガラスにおいて、窓ガラスの前面に位置する網戸用レールにアルミ角パイプ（６）を装着し、アルミ角板（７）をさらに前面に装着し、アルミ蝶ネジ（８）にて簡単に止めれることを特徴とするサッシガラス戸防護システムである。【０００９】「他の実施形態」
図１、図２の実施形態では、材質はアルミになっているが、他の実施形態では、強度がある程度確保できる材質であればどれでも良い。【００１０】  尚、図２の矢視を見てもわかるとおり、網戸のレールに簡単に装着するには、レール溝に嵌る長さが長い程入れにくいが、そこをアルミ角パイプ（６）のように短い場合は簡単に装着、脱着が可能である。
【図面の簡単な説明】
【００１１】
【図１】本考案の一実施形態を示す斜視図である。
【図２】本考案の一実施形態を示す要部拡大矢視図である。
【符号の説明】
【００１２】１  既存のアルミサッシ戸
Ａ  要部拡大斜視図の部分
２  屋内
３  屋外
４  既存サッシ戸
５  既存網戸レール
６  アルミ角パイプ
７  アルミ角板
８  アルミ蝶ネジ
【図１】
0003123617.tif 000003
【図２】
0003123617.tif 000004
【手続補正書】
【提出日】平成18年2月2日(2006.2.2)
【手続補正１】
【補正対象書類名】実用新案登録請求の範囲
【補正対象項目名】全文
【補正方法】変更
【補正の内容】
【実用新案登録請求の範囲】
【請求項１】
アルミサッシ用窓ガラスにおいて、窓ガラス前面に位置する網戸用レールに嵌着できるようにアルミ角パイプに溝を設けて、網戸レールにアルミ角パイプを介してアルミ角板を用意に嵌着できることを特徴とするサッシガラス戸防護システム
【手続補正書】
【提出日】平成18年4月24日(2006.4.24)
【手続補正１】
【補正対象書類名】実用新案登録請求の範囲
【補正対象項目名】全文
【補正方法】変更
【補正の内容】
【実用新案登録請求の範囲】
【請求項１】
アルミサッシ用窓ガラスにおいて、窓ガラス前面に位置する網戸用レールに嵌着できるようにアルミ角パイプに溝を設けて、網戸レールにアルミ角パイプを介してアルミ角板を容易に嵌着できることを特徴とするサッシガラス戸防護システム
(57)【要約】      （修正有）【課題】アウトドアにも衛生的に尚且つ中身が散乱せずに持ち運べ、加えて災害時においても寄与しやすい形のロールパンティーライナーを提供する。【解決手段】パンティーライナーそれは下着につけても違和感がないほど薄型だ。トイレットペーパーのように連続で巻いていくことが可能であり、ロール状だけでは衛生的に保護されていないのでそれを包み込む容器と一体にすることにより自宅はもちろん施設、学校、病院においては設置が可能な仕組みになっている。【選択図】図１
0003123612.tif 000002
【実用新案登録請求の範囲】
【請求項１】
現在、商品化されている各種俗称パンティーライナー（図５・▲２▼）（おりものシートや軽量尿漏れシートも含む）並びに今後新たに開発されるパンティライナーを紙類、ビニール類において保護しながら（図５・▲３▼）連続成型としたもの。この連続的に繋がっているパンティーライナーは、使用毎に切り取れるようミシン目（図５・▲４▼）の入ったシートである。数十枚が繋がっているパンティーライナーは平均に薄いため、ロール状に巻き取ってある吸水性物品である。
【請求項２】
ロール状になったパンティーライナーは不衛生にならないために、保護として紙やセロハン、ビニール等で外装しなくてはならない。
【考案の詳細な説明】
【技術分野】
【０００１】本考案は現在商品化されている各種俗称パンティーライナー（おりものシート、軽量尿漏れシートを含む）並びに今後新たに開発されるパンティーライナーを紙類、ビニール類の保護紙と共にロール状に巻きつけてゆく。【０００２】使用する際は、容器の取り出し口から引っ張り出し、必要な分だけミシン目に合わせ切り取っていく。【０００３】ロールパンティーライナーには芯あり（図２・▲１▼）、芯無しを想定しており、どちらにおいてもロールの中心にあるパンティライナーが（最後の一枚まで）使用可能な形状を保つ芯の大きさに留まる。【０００４】各パンティーライナーは片面に適度に粘着剤がついており、保護されている紙類（図５・▲３▼）に付着しているため取り出しの後、自らパンティライナーを引き剥がすまでずれたりしない。
【背景技術】
【０００５】パンティーライナーはかなり薄型なためにロール状が可能であり、個別に包装するより生産コストも削減できる。【０００６】現在のパンティーライナーは数十枚一袋となっており、一旦袋を開封すると、ホコリや虫などの侵入の恐れがある。この消耗品においても女性のデリケートな部分に使用する品のため、保管状況に心理的衛生面の配慮がないのはおかしい。
【考案の開示】
【考案が解決しようとする課題】
【０００７】本考案は従来のパンティーライナーをロール状にすることにより、便利さと衛生面や清潔感を追求するものである。【０００８】トイレ内に保管する際にパンティライナーが散乱しないように、見た目にも衛生的にしなくてはならない。  また女性にとって日常、使用頻度の高いため使い勝手のよい簡単な仕組みであること。【０００９】製造工程でロールにしていくパンティーライナーの巻き取り始め芯部は円周が小さくなりすぎず、取り出して着用の際にもしわくちゃにならず使用可能な円周の大きさから始まる。【００１０】コンパクトな専用容器と併用することで、災害時のライフラインの確保の際に、また施設や学校、病院、ホテルなどの女性用トイレなどに設置で複数の人が使用する場合、中のパンティーライナーが直接手で触れないですむ。
【考案が解決しようとする課題】
【００１１】本考案は現在商品化されている各種パンティーライナー、並びに今後新たに開発されるパンティーライナーを数十枚の単位でひとつのロールと製造し、便利で使いやすく見た目にも清潔感のあるものである。【００１２】使用は各トイレに置いたり保管したりする。  日常使用頻度の高い場所にはトイレットペーパー巻取り機に設置することで、あって便利なものである。
【考案の効果】
【００１３】この考案はご自宅などでこれまでパンティーライナーの保管状態が購入時はしっかりしとした形なのだか使用途中には、むき出しであったり、同居人の映った目にも無造作で決して良いものではなかった。【００１４】ロール状にして、使いやすい形となったこのパンティーライナーは、外包装が専用容器になどに収納することにより、心理的衛生面で安心できる。
【考案を実施するための最良の形態】
【００１５】本考案は従来のパンティーライナーのような紙類、ビニール類の上に広がったまま乗せてあるものを連続に巻いてある形である。  ロールから送り出されるパンティーライナーは、ひとつずつ切り取れるようミシン目がある。
【実施例】
【００１６】パンティーライナーはナプキンに比べ厚さがかなり薄型なため、ロール状が安易にできる。薄く軽量なパンティーライナーは送り出す際も、スムーズに取り出せる。またコンパクトになる利点もありトイレ内がすっきり爽快になる。
【図面の簡単な説明】
【００１７】
【図１】ロール状にしたパンティーライナーを容器に入れてある様子
【図２】パンティライナーがロール状になっている感じ
【図３】ロールパンティーライナー本体の断面図
【図４】ロールパンティーライナーと両面保護紙
【図５】ロールパンティーライナーと片面保護紙
【図６】図４のパンティーライナーが両面の保護紙に乗ってある断面図
【図７】図５のパンティーライナーが片面の保護紙に乗ってある断面図
【符号の説明】
【００１８】Ａ  …  ロールパンティーライナー連続平面図
Ａ′…  ロールパンティーライナー連続平面図
▲１▼…  芯
▲２▼…  パンティーライナー
▲３▼…  保護紙
▲４▼…  ミシン目
▲５▼…  接着部
【図１】
0003123612.tif 000003
【図２】
0003123612.tif 000004
【図３】
0003123612.tif 000005
【図４】
0003123612.tif 000006
【図５】
0003123612.tif 000007
【図６】
0003123612.tif 000008
【図７】
0003123612.tif 000009
【手続補正書】
【提出日】平成18年4月21日(2006.4.21)
【手続補正１】
【補正対象書類名】実用新案登録請求の範囲
【補正対象項目名】全文
【補正方法】変更
【補正の内容】
【実用新案登録請求の範囲】
【請求項１】
日常の生活時においても下着に汚れが直接付着するのを防ぐ為に用いられるナプキンよりも薄い吸水シート、一般的にはパンティーライナーというが、この吸水シートをロール状に巻きつけていくことにより、一巻に数多くの切り取り式パンティーライナーが作製されたロール状パンティーライナー。
【請求項２】
巻きロールから送り出される吸水シートの形状は保護紙も含め長方形になっており、使いやすさを留意して、吸水シートは一つ一つ切り取り線があり、連続して繋がっている請求項１のロール状パンティーライナー。
(57)【要約】      （修正有）【課題】陶芸品を作りにあたり手ろくろを使い作品を立ち上げるが、ろくろ上に乗せて回転させながら使用する陶芸ろくろ用の他目的手板を提供する。【解決手段】手板１を手ろくろの長形より大きくする事によって、手板の裏側にはろくろを固定する細い木からなる止め板２がろくろの外周に沿って放射状に張られており、手板とろくろの接着面には滑り止め３手段が設けられている陶芸ろくろ用手板。【選択図】図２
0003123613.tif 000002
【実用新案登録請求の範囲】
【請求項１】
市販されている手ろくろの上に考案した手板を乗せて、従来の手ろくろだけで作った作品より大きいものを作れるようにし、作品の移動も簡単に出来ます。又作品の高台を削る時も中心を狂わす事なく作業出来る様にしました。
【考案の詳細な説明】
【技術分野】
【０００１】  本考案は陶芸作品を作るさいに、作品の高台を削ったり作品を移動したりの目的で考案されたものである。
【背景技術】
【０００２】  陶芸作品を作るにあたり、手ろくろを使い作品を立ち上げるが、最後に作品の低にあたる部分の高台を削る時に不自由さを感じ、考案されたものである。
【考案の開示】
【考案が解決しようとす課題】
【０００３】  陶芸作品を立ち上げた時、作品の上の部分が手ろくろの表面の長形より大きさが上わまわる場合でも、作品を裏返しても中心を狂わすことなく高台を削る事が出来るようにしたものである。
【課題を解決するための手段】
【０００４】  本考案の手板の表面積を手ろくろの表面積より大きくしました。
又、手板と手ろくろの接着面には、手板の方に滑り止めを張りましたので、手ろくろと手板の回転数は殆ど変わらなくなりました、又手板の滑り止めの回りには手ろくろを固定するように止め板を張りました、その為め手ろくろと手板の中心を狂わす事もなくなりました。
【考案の効果】
【０００５】  本考案の手板を手ろくろの上に乗せる事によって、今までよりも大きな作品を容易に作れるようになりました、それに大きな作品の高台を削るのも容易になりました。
本考案の手板は手ろくろとの脱着が非常に簡単なので作品の移動も簡単に出来ます。その為め本考案の手板が何枚もあれば、一つの手ろくろで幾つもの作品を形を歪める事なく続けて作る事が出来ます。
従来から有った物より手板の表面積が大きい、以前のものより軽い、本考案の手板の裏側に滑り止めと手ろくろの止め板が張り付けてあるので従来あったものより脱着が簡単な上、手ろくろとの回転数が殆んど変わらなくなりました。
【考案の実施するための最良の形態】
【０００６】  本考案の手板を市販されている手ろくろの上に乗せて、手板を回転させながら使用します。手板の形は八角形が使用しやすく、手板の裏には手ろくろに合せた止め板が張り付けてあるので手板は固定されます。又手板の裏には手ろくろに合せた大きさの滑り止めが張ってあるので、手ろくろの回転数と殆ど変わる事がありません。
これを手ろくろ本体を使って作品を作る時と同じ様に作業し、なをかつ手板を物てば作品の移動も非常に簡単である。
【実施例】
【０００７】  以下、添付図面に従って一実施例を説明します。図２は手板の裏面です。数字３の円は手ろくろの表面の大きさと同じです。そこには同じ大きさの滑り止めも張ってあります。又その円の周りに放射状にあります数字２の細い木は手ろくろの固定用です。
この手板の裏面を図４にありますように手ろくろの表面にはめ込むようにして設置します。図１は手板の表面です、そこには油性のペンで中心を軸に円が書かれていますので、手ろくろを使用するのと同様に作業する事が出来ます。
【産業上の利用可能性】
【０００８】  本考案の最初の目的は陶芸作品の高台を削る事でしたが、高台はもちろん陶芸作品自体も作る事ができますし、作品を作った後の移動も手ろくろを持たずに、手板を持って作品と共に移動する事も出来ます。その為め本考案の手板が何枚かあれば、次々と手ろくろの上に手板を乗せて作品を作る事が出来ます。
【図面の簡単な説明】
【０００９】
【図１】本考案の手板の表面を示す図であります。
【図２】本考案の手板の裏面を示す図であります。
【図３】本考案の手板の側面を示す図であります。
【図４】本考案の手板を手ろくろの上に乗せたところを示した図であります。
【符号の説明】
【００１０】１  手板本体
２  手ろくろの止板
３  手ろくろと同大きさの滑り止め
【図１】
0003123613.tif 000003
【図２】
0003123613.tif 000004
【図３】
0003123613.tif 000005
【図４】
0003123613.tif 000006
【手続補正書】
【提出日】平成17年9月14日(2005.9.14)
【手続補正１】
【補正対象書類名】実用新案登録請求の範囲
【補正対象項目名】全文
【補正方法】変更
【補正の内容】
【実用新案登録請求の範囲】
【請求項１】
（１）ろくろの上に乗せて回転させながら使用する陶芸ろくろ用手板であって、手板の表面積が前記ろくろの表面積よりも大きく、手板の裏側にはろくろを固定する為の細い木からなる止め板がろくろの外周に沿って放放状に張られており手板とろくろの接着面には滑べり止め手段が設けられている陶芸ろくろ用手板。
（２）前記滑り止め手段が手板の裏側に設けられていることを特徴とする請求項１に記載の陶芸ろくろ用手板。
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
ろくろの上に乗せて回転させながら使用する陶芸ろくろ用手板であって、手板の表面積が前記ろくろの表面積よりも大きく、手板の裏側にはろくろを固定する為の細い木からなる止め板がろくろの外周に沿って放射状に張られており、手板とろくろの接着面には滑べり止め手段が設けられている陶芸ろくろ用手板。
【請求項２】
前記滑り止め手段が手板の裏側に設けられていることを特徴とする請求項１に記載の陶芸ろくろ用手板。
(57)【要約】【課題】本考案は、キッチン・家具の扉を簡単に取り替えるための方法である。通常扉には、丁番取り付けのための穴加工・取手等があり、扉を交換するためには、扉の同位置にそれらを施す必要があるが、この考案は、シンプルな板形状とすることで、好きなデザイン・色・柄・素材を選び簡単に取替えできることが出来る扉を提供するものである。【解決手段】扉をベース部材とトップ部材の2構造にすることで、丁番取り付け用穴加工等は全てベース部材に施し、トップ部材を単純な板形状とした。それにより、市販の板等に特殊な加工を施すことなくトップ部材として使用することが出来、好きなデザイン・色・柄・素材を選び簡単に取替えできることが出来るようにした。【選択図】図2
0003123691.tif 000002
【実用新案登録請求の範囲】
【請求項１】
キッチン・家具の扉を簡単に交換するための、トップ部材・ベース部材の２部材で構成された扉。
【請求項２】
ベース部材に手掛け用切欠きが設けられている請求項１の扉。
【請求項３】
ベース部材の４方にアール形状が施されている請求項1の扉。
【考案の詳細な説明】
【技術分野】
【０００１】
本考案は、誰でも簡単に取替えできるキッチン・家具の扉に関するものである。
【背景技術】
【０００２】
キッチン・家具の扉は、スライド丁番等によって、本体に固定されている場合が多く、
その場合扉には、スライド丁番取り付け用の座堀加工等が施されている。そのため、
扉を取替える為には、同位置への座彫り加工や取手取り付け等の加工が必要となる。
そのため、使用者が手軽に扉を取り替えることは難しいのが現状である。
扉デザインの一部を変える方法として、扉に挟み込んだシートを取替えられるようにする
（特許文献1参照）鏡板のみを取り替える（特許文献2参照）方法が知られている。
【特許文献１】特開２００２−１４７１２９公報
【特許文献２】登録実用新案第３００３２３１号公報
【考案の開示】
【考案が解決しようとする課題】
【０００３】
しかし、変更できるのはデザインの1部  色・柄等のみに限られ、取手等を含めた扉全体デザインを簡単に、交換することは難しいのが現状であった。
本考案は、以上問題点を解決し、扉全体のデザインを変更できるようにしたものである。
【課題を解決するための手段】
【０００４】
扉の構造を本体に取り付け用加工等が施されたベース部材と意匠デザインを形成するトップ部材との2構造とし、トップ部材を単純な板形状とする。トップ部材のみ簡単に交換
可能とする。
【考案の効果】
【０００５】
トップ部材を単純な板形状とすることで、特別な加工を施すことなく市販の板をそのまま扉にすることも可能となり、簡単に扉のデザイン（色・柄・形）・素材等を変更することを可能とする。
ベース部材の4方をアール形状とすることで、トップ部材の4方のデザインを角だけではなくアール形状のものも、使用可能となりデザインバリエーションが広がる。
ベース部材に切欠きを付け、扉用手掛けとして使用することで、トップ部材には、取手なし・取手付き等両方のデザインを採用することが出来る。
【考案を実施するための最良の形態】
【０００６】
以下、本考案の構成と使用法を説明する。
（イ）      
扉をトップ部材（１）と樹脂等で作られたベース部材（２）の2構造とする。
（ロ）      
キッチン・家具の本体に取り付けるためのスライド丁番用穴加工・引き出し用穴加工は、すべてベース部材（２）に施す。
（ハ）      
手掛けとして使用する部分のベース部材に切欠き（３）を設ける。
（ニ）      
ベース部材4方をアール形状（４）とする。
（ホ）      
トップ部材とベース部材を接続するための金物（５）をベース部材に設ける。
本考案は、以上の構成よりなる。
本考案を使用し、扉デザインを変更したい場合は、自分の好きなデザイン・素材の板を用意し、ベース部材にビス止めし、使用する。
【図面の簡単な説明】
【０００７】
【図１】本考案のベース部材の正面
【図２】本考案の斜視図
【図３】本考案の使用状況補足図
【符号の説明】
【０００８】
１    トップ部材
２    ベース部材
３    手掛け用切欠き
４    アール形状
５    接続金物
６    スライド兆番用穴
【図１】
0003123691.tif 000003
【図２】
0003123691.tif 000004
【図３】
0003123691.tif 000005